(57)【要約】【課題】よりコンパクトな構成で、よりレイアウトの自由度が高い配線余長部分収納構造を得る。【解決手段】ベース部材２の側縁に隣接して配置される底板７と、底板７上に取り付けられ配線６の余長部分を巻回するボビン１０と、配線保護カバー４内の配索空間５に連通する連通口１８が形成された側板１５を有し、底板７およびベース部材２の双方を跨ぐようにしてボビン１０を被覆する余長部カバー１３と、を設けた。【選択図】図３
2006217787.tif 000002
【特許請求の範囲】
【請求項１】
細長いベース部材と、該ベース部材を被覆する断面コ字状の細長いカバー体とからなる配線保護カバー内に配索される配線の余長部分を収納する配線余長部分収納構造であって、
ベース部材の側縁に隣接して配置される底板と、
前記底板上に取り付けられ配線の余長部分を巻回するボビンと、
前記配線保護カバー内の配索空間に連通する連通口が形成された側壁を有し、前記底板およびベース部材の双方を跨ぐようにして前記ボビンを被覆する余長部カバーと、
を備えることを特徴とする配線余長部分収納構造。
【請求項２】
前記余長部カバーの側壁に前記連通口を少なくとも二つ形成したことを特徴とする請求項１に記載の配線余長部分収納構造。
【請求項３】
前記ボビンは、円筒状の巻回筒を有し、
前記底板と前記余長部カバーとが、前記底板に装着されたボビンの巻回筒の筒内側で結合されるようにしたことを特徴とする請求項１または２に記載の配線余長部分収納構造。
【請求項４】
前記底板とボビンとが、該底板上に立設されてボビンの巻回筒の筒内側に配される係合部材によって係合されるようにしたことを特徴とする請求項１〜３のうちいずれか一つに記載の配線余長部分収納構造。
【請求項５】
前記余長部カバーは、前記カバー体の上面と前記底板の反対側に位置するカバー体の側面とに連接する外形状を有することを特徴とする請求項１〜４のうちいずれか一つに記載の配線余長部分収納構造。
【請求項６】
前記底板は直角部を有し、
前記直角部が、相互に直交配置されて折曲路をなす二つのベース部材の当該折曲路内側の側縁に隣接して配置され、
前記余長部カバーは、前記底板および二つのベース部材の双方を跨ぐようにして前記ボビンを被覆することを特徴とする請求項１〜５のうちいずれか一つに記載の配線余長部分収納構造。
【請求項７】
細長いベース部材と、該ベース部材を被覆する断面コ字状の細長いカバー体とからなる配線保護カバー内に配索される配線の余長部分を収納する配線余長部分収納構造であって、
ベース部材の長手方向端縁に隣接して配置される底板と、
前記底板上に取り付けられ配線の余長部分を巻回するボビンと、
前記配線保護カバー内の配索空間に連通する連通口が形成された側壁を有し、前記底板上で前記ボビンを被覆する余長部カバーと、
を備えることを特徴とする配線余長部分収納構造。
【請求項８】
前記底板は、相互に直交配置されて折曲路をなす二つのベース部材の角部に隣接配置されることを特徴とする請求項７に記載の配線余長部分収納構造。
【請求項９】
細長いベース部材と、該ベース部材を被覆する断面コ字状の細長いカバー体とからなる配線保護カバー内に配索される配線の余長部分を収納する配線余長部分収納構造であって、
ベース部材の長手方向端縁に隣接して配置される底板と、
前記底板と配線の余長部分を巻回するボビンとを被覆する余長部カバーと、
を備え、
前記底板または前記余長部カバーの周縁部に、前記配線保護カバー内の配索空間に連通する連通口が形成された側壁を設け、
前記底板と前記余長部カバーとを折り畳み可能に連結したことを特徴とする配線余長部分収納構造。
【請求項１０】
前記ボビンを、前記底板および前記余長部カバーの双方にそれぞれ設け、前記底板と前記余長部カバーとを展開した状態で、配線の余長部分を双方のボビンに略８の字状に巻回できるようにしたことを特徴とする請求項９に記載の配線余長部分収納構造。
【発明の詳細な説明】
【技術分野】
【０００１】
本発明は、配索した配線の余長部分を収納する配線余長部分収納構造に関する。
【背景技術】
【０００２】
従来、屋内で配線を配索する場合に、当該配線を保護すべく、配線保護カバーを用いる場合がある。
【０００３】
配線保護カバーは、壁面（床面、天井面を含む）上に設けられる細長いベース部材と、ベース部材上を覆う断面略コ字状の細長いカバー体とを備え、配線は、それらで囲まれて形成される空間内に配索される。
【０００４】
配線を配索する場合には、準備した配線が本来必要な長さよりも長くなり、所謂余長部分が生じる場合がある。このとき、切断や終端処理が容易な配線の場合には、必要な部分を残して余長部分を切除すればよいが、光ファイバケーブルなど、切断に伴う終端処理が容易でない配線等の場合には、当該余長部分を保護カバーの端部から露出させて巻回し、それを接続する機器や家具等で隠蔽するような処置を行う場合も多かった。
【０００５】
また、特許文献１のように、ネットワーク機器等が一体化されたアウトレット内に余長部分を収容する方式も提案されている。
【特許文献１】特開２００４−３７８４６号公報
【発明の開示】
【発明が解決しようとする課題】
【０００６】
しかしながら、配線保護カバーの端部付近に、巻回した余長部分を置くだけのスペースがある場合には良いが、当該端部には必ずしも十分なスペースを確保できるとは限らないし、また、場所によってはうまく隠蔽できない場合もある。
【０００７】
とは言え、巻回した余長部分を配線保護カバーの途中で露出させると、著しく見栄えが悪くなってしまう。
【０００８】
また、上記特許文献１に記載の方式では、アウトレットが大型化するとともに、そのアウトレットを配置可能な位置でしか余長部分を収納することができないという問題があった。
【０００９】
そこで、本発明は、よりコンパクトな構成で、よりレイアウトの自由度が高い配線余長部分収納構造を得ることを目的とする。
【課題を解決するための手段】
【００１０】
請求項１の発明にあっては、細長いベース部材と、該ベース部材を被覆する断面コ字状の細長いカバー体とからなる配線保護カバー内に配索される配線の余長部分を収納する配線余長部分収納構造であって、ベース部材の側縁に隣接して配置される底板と、上記底板上に取り付けられ配線の余長部分を巻回するボビンと、上記配線保護カバー内の配索空間に連通する連通口が形成された側壁を有し、上記底板およびベース部材の双方を跨ぐようにして上記ボビンを被覆する余長部カバーと、を備えることを特徴とする。
【００１１】
請求項２の発明にあっては、上記余長部カバーの側壁に上記連通口を少なくとも二つ形成したことを特徴とする。
【００１２】
請求項３の発明にあっては、上記ボビンは、円筒状の巻回筒を有し、上記底板と上記余長部カバーとが、上記底板に装着されたボビンの巻回筒の筒内側で結合されるようにしたことを特徴とする。
【００１３】
請求項４の発明にあっては、上記底板とボビンとが、該底板上に立設されてボビンの巻回筒内に配される係合部材によって係合されるようにしたことを特徴とする。
【００１４】
請求項５の発明にあっては、上記余長部カバーは、上記カバー体の上面と上記底板の反対側に位置するカバー体の側面とに連接する外形状を有することを特徴とする。
【００１５】
請求項６の発明にあっては、上記底板は直角部を有し、上記直角部が、相互に直交配置されて折曲路をなす二つのベース部材の当該折曲路内側の側縁に隣接して配置され、上記余長部カバーは、上記底板および二つのベース部材の双方を跨ぐようにして上記ボビンを被覆することを特徴とする。
【００１６】
請求項７の発明にあっては、細長いベース部材と、該ベース部材を被覆する断面コ字状の細長いカバー体とからなる配線保護カバー内に配索される配線の余長部分を収納する配線余長部分収納構造であって、ベース部材の長手方向端縁に隣接して配置される底板と、上記底板上に取り付けられ配線の余長部分を巻回するボビンと、上記配線保護カバー内の配索空間に連通する連通口が形成された側壁を有し、上記底板上で上記ボビンを被覆する余長部カバーと、を備えることを特徴とする。
【００１７】
請求項８の発明にあっては、上記底板は、相互に直交配置されて折曲路をなす二つのベース部材の角部に隣接配置されることを特徴とする。
【００１８】
請求項９の発明にあっては、細長いベース部材と、該ベース部材を被覆する断面コ字状の細長いカバー体とからなる配線保護カバー内に配索される配線の余長部分を収納する配線余長部分収納構造であって、ベース部材の長手方向端縁に隣接して配置される底板と、上記底板と配線の余長部分を巻回するボビンとを被覆する余長部カバーと、を備え、上記底板または上記余長部カバーの周縁部に、上記配線保護カバー内の配索空間に連通する連通口が形成された側壁を設け、上記底板と上記余長部カバーとを折り畳み可能に連結したことを特徴とする。
【００１９】
請求項１０の発明にあっては、上記ボビンを、上記底板および上記余長部カバーの双方にそれぞれ設け、上記底板と上記余長部カバーとを展開した状態で、配線の余長部分を双方のボビンに略８の字状に巻回できるようにしたことを特徴とする。
【発明の効果】
【００２０】
請求項１の発明によれば、配線保護カバーの幅方向に隣接した位置で配線の余長部分を収納する、よりコンパクトな構造を得ることができるため、余長部分を露出させた場合や、別個の大きな筐体等に一体化して収容したりするような場合に比べて、美観を向上することができる。
【００２１】
請求項２の発明によれば、余長部カバーの側壁に連通口を少なくとも二つ形成したため、配線保護カバー内の配索空間から一方の連通口を介して取り出した配線の余長部分を収納し、それを他方の連通口を介して配線保護カバーの配索空間内に戻すことができる。すなわち、かかる構成によれば、配線保護カバーの中途位置に配線余長部分収納構造を設けることができる。
【００２２】
請求項３の発明によれば、ボビンの巻回筒の内側のスペースを有効に利用して底板と余長部カバーとを結合したため、配線余長部分収納構造を、よりコンパクトに構成することができる。
【００２３】
請求項４の発明によれば、ボビンの巻回筒の内側のスペースを有効に利用して底板にボビンを係止したため、配線余長部分収納構造を、よりコンパクトに構成することができる。
【００２４】
請求項５の発明によれば、余長部カバーに、カバー体の上面と底板の反対側に位置するカバー体の側面とに連接する外形状を設けたので、外観上、配線保護カバーと余長部カバーとを連続的に繋げることができ、美観を向上することができる。
【００２５】
請求項６の発明によれば、配線余長部分収納構造を、配線保護カバーの延伸方向が直角に折れ曲がる部分の内側に配置することができる。
【００２６】
請求項７の発明によれば、配線保護カバーの長手方向に隣接した位置で配線の余長部分を収納する、よりコンパクトな構造を得ることができるため、余長部分を露出させた場合や、別個の大きな筐体等に一体化して収容したりするような場合に比べて、美観を向上することができる。
【００２７】
請求項８の発明によれば、配線余長部分収納構造を、配線保護カバーの延伸方向が直角に折れ曲がる部分の外側に配置することができる。
【００２８】
請求項９の発明によれば、底板と余長部カバーとを一体化することができる分、部品の管理がより容易になる上、組み立てをより容易に行うことができるようになる。
【００２９】
請求項１０の発明によれば、配線の余長部分をより容易に巻回することができ、作業をより迅速に行うことができるようになる。
【発明を実施するための最良の形態】
【００３０】
以下、本発明の実施形態について図面を参照しながら詳細に説明する。
【００３１】
（第１実施形態）図１は、壁面上に設置された配線保護カバーと本実施形態にかかる配線余長部分収納構造とを示す斜視図、図２は、配線保護カバーの分解斜視図、図３は、配線余長部分収納構造の分解斜視図、図４は、配線余長部分収納構造の断面図（図１のＡ−Ａ断面図）である。なお、この明細書で壁とは、部屋を仕切る側壁のみを意味するものではなく、天井や床も含むものとする。ただし、図１や図３では、側壁としての壁に本実施形態にかかる配線余長部分収納構造を用いた場合を例示している。
【００３２】
壁面１上には、ベース部材２とカバー体３とからなる配線保護カバー４が装着されており、この配線保護カバー４内の配索空間５、すなわちベース部材２とカバー体３とで囲まれた断面矩形の細長い空間内に、配線６が配索される。
【００３３】
ベース部材２は、樹脂等からなる長尺の細長い板状部材であり、壁面１上に接着あるいはねじ等の締結具を用いて固定される。
【００３４】
カバー体３は、樹脂等からなる断面コの字型の細長い部材であり、当該コの字の開口部を壁面１側（ベース部材２側）に向ける姿勢でベース部材２上に取り付けられる。具体的には、ベース部材２の幅を、カバー体３の開口部の幅とほぼ同じかあるいは僅かに大きくし、カバー体３の開口部をベース部材２の両側縁に嵌装する。
【００３５】
本実施形態にかかる配線余長部分収納構造は、底板７、ボビン１０、および余長部カバー１３を含んでいる。
【００３６】
底板７は、ベース部材２の側縁２ａに隣接して配置され、壁面１上に接着あるいはねじ等の締結具を用いて固定される。具体的には、底板７は、樹脂等からなり直線状の側縁７ａを含む平面視（壁面１を見る方向）Ｄ字状の部材であり、図３に示すように、その側縁７ａをベース部材２の側縁２ａに沿って隣接配置する。このとき、図３に示すように、底板７の側縁７ａをベース部材２の側縁２ａに突き当て、底板７をベース部材２の幅方向に位置決めするのが好適である。また、底板７の厚さは、ベース部材２の厚さとほぼ同等とし、これらの間でなるべく段差が生じないようにするのが好適である。
【００３７】
ボビン１０は、樹脂等からなり、円筒状の巻回筒１１と、巻回筒１１の軸方向両端部において当該巻回筒１１の周縁から径方向外側に一定幅で張り出す一対の端部フランジ１２とを備えている。これら一対の端部フランジ１２間の巻回筒１１の外周部分に、配線６が巻回される。
【００３８】
このボビン１０は、底板７上に立設された係合部材８によって、底板７上に係止される。本実施形態では、底板７上に、その略法線方向に伸びて先端に爪８ａを有する四つの係合部材８を立設し、所謂スナップフィット機構によってボビン１０を係止するようにしている。すなわち、ボビン１０の巻回筒１１の筒内面によって爪８ａを押圧して、これら四つの係合部材８を径方向内側に弾性的に強制変位させながらボビン１０を底板７上に当接するまで押し下げる。一方の端部フランジ１２が底板７上面に当接した状態では、爪８ａは筒内面を貫通して他方の端部フランジ１２の上面に露出し、四つの係合部材８は径方向外側に弾性的に復元する。このとき、各爪８ａは径方向外側に張り出しており、かくしてこの係合部材８によってボビン１０が係止される。なお、係合部材８に係止されたボビン１０は、当該係合部材８との間の摩擦力によって一定の姿勢で保持されるが、係止された状態でも作業者が強制的に回動させられるようにするのが好適である。
【００３９】
余長部カバー１３は、底板７とベース部材２とを跨ぐようにしてボビン１０を被覆する。具体的には、この余長部カバー１３は、底板７と相似形状の天板１４と、その周縁で立設される側板１５とを備えるとともに、Ｄ字形状の直線部分となる側面では段差部１７を備えている。
【００４０】
天板１４は、底板７より側板１５の厚み分あるいはそれよりさらに僅かに広くしてあり、余長部カバー１３を取り付けたとき、底板７の周縁が側板１５で囲まれるようになっている。
【００４１】
側板１５には、配線保護カバー４内の配索空間５に連通する連通口１８が設けられており、この連通口１８を介して余長部カバー１３内に配線６が導入される。本実施形態では、連通口１８は、ベース部材２上となる位置（二箇所）に、側板１５の下端の切欠として設けられており、一つは配索空間５から余長部カバー１３内に配線６を引き込む導入口、もう一つは余長部カバー１３内から配索空間５に配線６を戻す導出口となる。
【００４２】
また、段差部１７の下面（壁面１との当接面）からの高さはカバー体３の高さと同じにし、また、段差の幅はカバー体３の幅と同じにして、余長部カバー１３を取り付けたときに、段差部１７の上面１７ａがカバー体３の上面３ａに連接し、かつ段差部１７の側面１７ｂがカバー体３の側面（底板７から遠い側の側面）３ｂに連接するようにしてある。
【００４３】
また、この余長部カバー１３は、底板７に装着されたボビン１０の巻回筒１１の筒内側の空間で、底板７と結合される。具体的には、底板７のほぼ中央部に巻回筒１１より小径の円筒部９を突設する一方、余長部カバー１３の天板１４の裏面にも巻回筒１１より小径の円筒部１６を突設し、これら円筒部９，１６同士が、ボビン１０の巻回筒１１の筒内で相互に嵌合されるようにしてある。
【００４４】
以上の本実施形態によれば、配線保護カバー４に隣接した位置で配線の余長部分を収納するよりコンパクトな構造を得ることができるため、余長部分を露出させた場合や、別個の大きな筐体等に一体化して収容したりするような場合に比べて、美観を向上することができる上、レイアウトの自由度が増大する。
【００４５】
また、本実施形態によれば、余長部カバー１３の側板１５に連通口１８を少なくとも二つ形成したため、配線保護カバー４内の配索空間５から一方の連通口１８を介して取り出した配線６の余長部分を収納し、それを他方の連通口１８を介して配線保護カバー４の配索空間５内に戻すことができる。すなわち、これにより、配線保護カバー４の中途位置に配線余長部分収納構造を設けることができる。
【００４６】
また、本実施形態によれば、ボビン１０の巻回筒１１の内側のスペースを有効に利用して底板７と余長部カバー１３とを結合したため、配線余長部分収納構造を、よりコンパクトに構成することができる。
【００４７】
また、本実施形態によれば、ボビン１０の巻回筒１１の内側のスペースを有効に利用して底板にボビン１０を係止したため、配線余長部分収納構造を、よりコンパクトに構成することができる。
【００４８】
ここで、特に、光ファイバケーブル等、構造上あるいは性能上の最小（許容）曲げ半径が比較的大きな配線の場合、巻回筒１１の外径は少なくとも最小曲げ半径以上とせざるを得ず、ボビン１０を小さくするのには一定の限界が生じる。そこで、本実施形態では、ボビン１０の巻回筒１１の内側のスペースに、底板７と余長部カバー１３との結合構造やボビン１０の係止構造を設け、デッドスペースの有効利用を図っているのである。
【００４９】
また、本実施形態によれば、余長部カバー１３に、カバー体３の上面３ａと底板７の反対側に位置するカバー体３の側面３ｂとに連接する段差部１７を設けたので、外観上、配線保護カバー４と余長部カバー１３とを連続的に繋げることができ、美観を向上することができる。
【００５０】
（第２実施形態）図５は、壁面上に設置された配線保護カバーと本実施形態にかかる配線余長部分収納構造とを示す斜視図、図６は、配線保護カバーのベース部材と配線余長部分収納構造の底板とを示す平面図、図７は、配線余長部分収納構造の分解側面図（図５の矢視Ｂ）である。なお、本実施形態にかかる配線余長部分収納構造は、上記実施形態にかかる配線余長部分収納構造と同様の構成要素を備えている。よって、それら同様の構成要素については同じ符号を付与し、重複する説明を省略する。
【００５１】
本実施形態にかかる配線余長部分収納構造は、図５に示すように、壁面１上で配線保護カバー４の延伸方向が直角に変化する折曲部の外側に隣接配置されるものである。
【００５２】
すなわち、図６に示すように、二つのベース部材２は、相互に直角に配置されて折曲路をなしている。底板７Ａは、相互に直交する二つの側縁７ｂからなる直角部７ｃを備えており、その直角部７ｃの尖端部分で、各側縁７ｂにベース部材２の長手方向端縁２ｂが当接している。なお、側縁７ｂは、ボビン１０が配置される円形部分の外接線となっている。
【００５３】
そして、余長部カバー１３Ａは、底板７Ａの周縁に接してこれを取り囲む側板１５Ａと、底板７Ａに対して側板１５Ａの板厚分だけ大きい天板１４Ａとを備えており、上記第１実施形態と同様に、円筒部１６と円筒部９との嵌合によって当該底板７Ａ上に取り付けられ、係合部材８によって底板７Ａ上に装着されたボビン１０を被覆している。
【００５４】
側板１５Ａのカバー体３が当接する部分に連通口１８Ａが設けられ（二箇所）、この連通口１８Ａを介して配線６が配線保護カバー４内から余長部カバー１３Ａ内に導入される。
【００５５】
以上の本実施形態によれば、配線保護カバー４の長手方向端部で配線６の余長部分を収納する、よりコンパクトな構造を得ることができる。特に、本実施形態の場合、底板７Ａを、相互に直交配置されて折曲路をなす二つのベース部材２の角部の外側に隣接配置しており、これにより、配線保護カバー４の延伸方向が直角に折れ曲がる位置の外側で配線６の余長部分を収納する、よりコンパクトな構造を得ることができる。そして、かかる構成により、余長部分を露出させた場合や、別個の大きな筐体等に一体化して収容したりするような場合に比べて、美観を向上することができる。
【００５６】
（第３実施形態）図８は、壁面上に設置された配線保護カバーと本実施形態にかかる配線余長部分収納構造とを示す斜視図、図９は、配線保護カバーのベース部材と配線余長部分収納構造の底板とを示す平面図、図１０は、配線余長部分収納構造の分解側面図（図８の矢視Ｃ）である。なお、本実施形態にかかる配線余長部分収納構造は、上記実施形態にかかる配線余長部分収納構造と同様の構成要素を備えている。よって、それら同様の構成要素については同じ符号を付与し、重複する説明を省略する。
【００５７】
本実施形態にかかる配線余長部分収納構造は、壁面１Ｂ上で配線保護カバー４の延伸方向が直角に変化する折曲部の内側に隣接配置されるものであり、図８に示すように、三つの壁面１Ｂが相互に直交して形成される隅部に密着させて配置することができるものである。なお、本実施形態にかかる配線余長部分収納構造は、平面視で相互に直交する二つの壁面１Ｂに対して４５°方向に伸びる線Ｄ（図８、図９）について線対称の形状となっている。
【００５８】
図９に示すように、二つのベース部材２は、相互に直角方向に配置され、折曲路をなしている。この場合、一方のベース部材２の長手方向の端縁２ｂが、他方のベース部材２の長手方向の端部の側縁２ａに当接し、これら二つのベース部材２の側縁２ａは直角に交わっている。その折曲路の内側に、底板７Ａが隣接配置される。すなわち、底板７Ａは、相互に直交する二つの側縁７ｂからなる直角部７ｃを備えており、各側縁７ｂが、ベース部材２の折曲路の内側の側縁２ａに当接している。なお、この底板７Ａとしては、上記第２実施形態と同じものを用いることができる。
【００５９】
余長部カバー１３Ｂは、底板７Ａと直交する二つのベース部材２とを跨ぐようにしてボビン１０を被覆する。具体的には、この余長部カバー１３Ｂは、正方形の角の一つを丸めた形状とした天板１４Ｂと、その周縁で立設される側板１５Ｂとを備えるとともに、相互に直交する二つのベース部材２上では段差部１７Ｂを備えている。天板１４Ｂの曲線部は、底板７Ａに対して側板１５Ｂの板厚分だけ大きい形状となっている。そして、この余長部カバー１３Ｂも、上記第１実施形態と同様に、円筒部１６と円筒部９との嵌合によって当該底板７Ａ上に取り付けられ、係合部材８によって底板７Ａ上に装着されたボビン１０を被覆している。
【００６０】
本実施形態でも、段差部１７Ｂの下面（壁面１との当接面）からの高さはカバー体３の高さと同じにし、また、段差の幅はカバー体３の幅と同じにして、余長部カバー１３Ｂを取り付けたときに、段差部１７Ｂの上面１７ａがカバー体３の上面３ａに連接し、かつ段差部１７Ｂの側面１７ｂがカバー体３の側面（底板７から遠い側の側面）３ｂに連接するようにしてある。
【００６１】
この段差部１７Ｂは、配線保護カバー４の配索方向に沿って平面視でＬ字状になる。カバー体３は、当該Ｌ字の両端となる段差部１７Ｂの端部で側板１５Ｂに当接し、この当接部分の側板１５Ｂに連通口１８Ｂが形成されている。この連通口１８Ｂを介して配線６が配線保護カバー４内から余長部カバー１３Ｂ内に導入される。
【００６２】
かかる構成では、段差部１７Ｂの側面１７ｂとカバー体３の側面３ｂとが連接されるため、段差部１７Ｂおよびカバー体３を、ベース部材２や底板７Ａが装着される壁面１Ｂに直交する壁面１Ｂ（図１０の左側の壁面１Ｂ）に密着させて配置することができる。したがって、図８に示すように、本実施形態にかかる配線余長部分収納構造は、三つの室内壁面１Ｂが相互に直交して形成される隅部に密着させて配置することができる。
【００６３】
以上のように、本実施形態によれば、底板７Ａを、相互に直交配置されて折曲路をなす二つのベース部材２の当該折曲路内側の側縁２ａに隣接して配置することにより、配線余長部分収納構造を、配線保護カバー４の延伸方向が直角に折れ曲がる部分に配置することができる。
【００６４】
また、本実施形態によれば、段差部１７Ｂの側面１７ｂと、カバー体３の折曲路外側の側面３ｂとにより、当該折曲路外側に、Ｌ字状の連続した側面を得ることができるため、配線余長部分収納構造を、三つの室内壁面１Ｂが相互に直交して形成される隅部に密着させて配置することができる。
【００６５】
（第４実施形態）図１４は、本実施形態にかかる配線余長部分収納構造に含まれる底板とカバー体とが折り畳み可能に連結されてなる組立体の斜視図、図１５は、展開した組立体に配線の余長部分を巻回した状態を示す斜視図、図１６は、壁面上に設置された配線保護カバーと本実施形態にかかる配線余長部分収納構造とを示す斜視図である。なお、本実施形態にかかる配線余長部分収納構造は、上記実施形態にかかる配線余長部分収納構造と同様の構成要素を備えている。よって、それら同様の構成要素については同じ符号を付与し、重複する説明を省略する。
【００６６】
本実施形態にかかる配線余長部分収納構造は、底板７Ｄとカバー体としての天板１４Ｄとが折り畳み可能に一体化された組立体３０を備えてなるものである。
【００６７】
具体的には、Ｄ字状の底板７Ｄと、同じくＤ字状の天板１４Ｄとを、それらＤ字形状の直線部分同士を対向配置した状態で、短冊状の側板１５Ｄを介して一体的に連結して組立体３０を形成し、それら底板７Ｄ、側板１５Ｄ、および天板１４Ｄの直線状の境界で折り畳み可能としたものである。
【００６８】
また、本実施形態では、円筒状のボビン３１，３２を天板１４Ｄおよび底板７Ｄの双方にそれぞれ設け、図１５に示すように、組立体３０を展開した状態で、これらボビン３１，３２に、配線６の余長部分を、略８の字状に架け渡す（巻回する）ことができるようにしている。
【００６９】
各ボビン３１，３２の内側には、相互に嵌着可能な円筒部１６Ｄ，９Ｄを設け、底板７Ｄ、側板１５Ｄ、および天板１４Ｄの境界を起点として組立体３０を折り畳んだときに（図１６）、これら円筒部１６Ｄ，９Ｄ同士を嵌着することで、当該折り畳んだ状態を保持できるようにしている。
【００７０】
なお、ボビン３１，３２の外径はほぼ同径とし、組み立てた状態で相互に突き合わされて、一連の筒状体が形成されるようにするのが好適である。
【００７１】
また、ボビン３１，３２の軸方向端縁には、それぞれ、径方向外側に張り出す突起３１ａ，３２ａを設け、巻回した配線６の余長部分がボビン３１，３２から脱落しにくくするのが好適である。本実施形態では、突起３１ａ，３２ａは、ボビン３１，３２毎に、９０°間隔で４個ずつ設けるとともに、設置角度を相互にずらして、組立体３０を折り畳んでボビン３１，３２の端縁同士を突き合わせたときに４５°間隔で互い違いに配置されるようにしてあるが、これには限定されず、フランジ状に形成したり、これより数を増やしたりしてもよい。
【００７２】
また、本実施形態では、底板７Ｄの周縁部に側壁３５が立設されており、この側壁３５の長手方向両端部を切り欠くようにして、連通口１８Ｄが形成されている。この連通口１８は、配線６の余長部分をボビン３１，３２に巻回する際のガイドとして用いることも可能である。
【００７３】
以上の本実施形態によれば、底板７Ｄとカバー体としての天板１４Ｄとを一体化することができる分、部品の管理がより容易になる上、組み立てをより容易に行うことができるようになる。
【００７４】
また、本実施形態によれば、組立体３０を展開した状態で、配線６の余長部分を、略８の字状により容易に巻回することができ、作業をより迅速に行うことができるようになる。
【００７５】
以上、本発明の好適な実施形態について説明したが、本発明は上記実施形態に限定されるものではなく、要旨を逸脱しない範囲で上記実施形態に種々の改変を施すことができる。例えば、ベース部材や余長部カバーの形状等は上記実施形態に開示したもの以外の形状（例えば矩形状）としてもよい。また、ベース部材と底板とは必ずしも密着させる必要はない。
【００７６】
また、段差部が形成される部分や他の側壁部に連通口を設けてもよい。
【００７７】
また、底板と余長部カバーとの結合構造や、底板とボビンとの係合構造も、上記実施形態に限定されるものではない。例えば底板上に立設した係合部材の爪が係合する係合孔を、ボビンの巻回筒の中途位置に設けてもよいし、その係合孔を長穴状としてもよい。あるいは、底板と余長部カバーとの結合を他の機構（例えばスナップフィット機構等）によって行ってもよい。
【００７８】
また、ボビンも、上記実施形態で開示したものには限定されず、端部フランジの形状を円形状（円環状）以外の形状にしてもよいし、二つの端部フランジの形状を相違させてもよい。例えば、図１１や図１２に示すボビン１０Ａ，１０Ｂのように、二つの端部フランジのうち少なくともいずれか一方の端部フランジ１２Ａを長円状としてもよいし、図１２に示すボビン１０Ｂのように、長円状の二つの端部フランジ１２Ａの長手方向を相互に交叉させて配置してもよい。このように端部フランジ１２Ａを長円状とすることで、配線６を巻回しやすくなるという利点がある。
【００７９】
また、図１３に示すボビン１０Ｃのように、ベース部材の反対側の端部フランジとして、巻回筒１１の端部から径方向外側に伸びる複数（この例では四つ）のアーム１９を設けてもよい。さらに、この例のように、巻回筒１１に貫通孔２１を設け、この貫通孔２１を挿通させた結束バンド２０やワイヤ等によって、配線６を結束してもよい。この場合、アーム１９の長さを端部フランジ１２の幅（径方向長さ）より短くすると、配線６を巻回しやすくなる。また、結束バンド２０の締結部２０ａは巻回筒１１の筒内に配置するのが好適であるが、筒外に配置してもよい。
【００８０】
また、底板と余長部カバーとを折り畳み可能に構成した場合においては、側板は底板および余長部カバーのいずれに設けてもよい。また、底板および余長部カバーを、正方形の角の一つを丸めた形状等、他の形状としてもよい。
【００８１】
また、配線余長部分収納構造と一部の部品を共用して、配線のコネクタ同士の接続部分を収納する配線接続部分収納構造を構築してもよい。
【００８２】
図１７は、二本の配線６，６の末端に設けたコネクタ３７，３７同士を接続してそれら配線６，６同士を接続する中継コネクタ３８を収納する構造を例示する。すなわち、この例では、底板７Ｅ上に一対の係合突起３６，３６を立設するとともに、これら係合突起３６，３６の先端に相互に対向する爪３６ａ，３６ａを設けて、中継コネクタ３８を係止できるようにしている。そして、図１７の（ｂ）に示すように、係合突起３６，３６の配置や姿勢（設置方向）を適宜に設定し、中継コネクタ３８およびその長手方向両端部に接続したコネクタ３７，３７を含む結線部分が、係合突起３６，３６に装着された状態で、底板７Ｅや、それに隣接して配置されるベース部材２，２上に配置され、図示しないカバー（例えば、第１実施形態の余長部カバー１３やカバー体３等）によって被覆されるようにしてある。なお、この例では、底板７Ｅの中央部の円筒部９Ｅと一つの係合突起３６とが一体化されているが、これには限定されない。
【００８３】
また、図１８は、中継配線４２の両端に接続用コネクタ４１を取り付けた中継コネクタアセンブリ４０を収納する構造を例示する。すなわち、この例では、底板７Ｆ上に、柱状の突起３９ａ，３９ｂや、角部９Ｆａを有する筒状部９Ｆを適宜な配置で立設して、接続用コネクタ４１の嵌着部３９，３９を形成している。そして、図１８の（ｂ）に示すように、接続用コネクタ４１が嵌着部３９，３９に嵌着された状態で、中継コネクタアセンブリ４０および当該中継コネクタアセンブリ４０に接続したコネクタ３７，３７を含む結線部分が、底板７Ｆや、それに隣接して配置されるベース部材２上に配置され、図示しないカバー（例えば、第１実施形態の余長部カバー１３やカバー体３等）によって被覆されるようにしてある。
【００８４】
図１７や図１８の例によれば、配線接続部分収納構造と配線余長部分収納構造とでカバーやベース部材等の部品を共用して、配線余長部分収納構造および配線接続部分収納構造をより安価に構成することができる上、これら配線余長部分収納構造および配線接続部分収納構造を外見上は類似または同一の構成として、配線被覆構造としてデザイン上の統一感を得ることができる。
【図面の簡単な説明】
【００８５】
【図１】壁面上に設置された配線保護カバーと本発明の第１実施形態にかかる配線余長部分収納構造とを示す斜視図。
【図２】配線保護カバーの分解斜視図。
【図３】本発明の第１実施形態にかかる配線余長部分収納構造の分解斜視図。
【図４】本発明の第１実施形態にかかる配線余長部分収納構造の断面図（図１のＡ−Ａ断面図）。
【図５】壁面上に設置された配線保護カバーと本発明の第２実施形態にかかる配線余長部分収納構造とを示す斜視図。
【図６】配線保護カバーのベース部材と本発明の第２実施形態にかかる配線余長部分収納構造の底板とを示す平面図。
【図７】本発明の第２実施形態にかかる配線余長部分収納構造の分解側面図（図５の矢視Ｂ）。
【図８】壁面上に設置された配線保護カバーと本発明の第３実施形態にかかる配線余長部分収納構造とを示す斜視図。
【図９】配線保護カバーのベース部材と本発明の第３実施形態にかかる配線余長部分収納構造の底板とを示す平面図。
【図１０】本発明の第３実施形態にかかる配線余長部分収納構造の分解側面図（図８の矢視Ｃ）。
【図１１】本発明の実施形態にかかる配線余長部分収納構造で用いるボビンの別の構成例を示す図。
【図１２】本発明の実施形態にかかる配線余長部分収納構造で用いるボビンのさらに別の構成例を示す図。
【図１３】本発明の実施形態にかかる配線余長部分収納構造で用いるボビンのさらに別の構成例を示す図。
【図１４】本発明の第４実施形態にかかる配線余長部分収納構造に含まれる底板とカバー体とが折り畳み可能に連結されてなる組立体の斜視図。
【図１５】本発明の第４実施形態にかかる配線余長部分収納構造に含まれる組立体を展開して配線の余長部分を巻回した状態を示す斜視図。
【図１６】壁面上に設置された配線保護カバーと本発明の第４実施形態にかかる配線余長部分収納構造とを示す斜視図。
【図１７】本発明の実施形態にかかる配線余長部分収納構造と一部の部品を共用して外観上同様に構成可能な配線接続部分収納構造の一例を示す図。
【図１８】本発明の実施形態にかかる配線余長部分収納構造と一部の部品を共用して外観上同様に構成可能な配線接続部分収納構造の別の一例を示す図。
【符号の説明】
【００８６】
２  ベース部材
２ａ  側縁
２ｂ  （長手方向）端縁
３  カバー体
３ａ  上面
３ｂ  側面
４  配線保護カバー
５  配索空間
６  配線
７，７Ａ，７Ｄ  底板
７ｃ  直角部
８  係合部材
８ａ  爪
１０，１０Ａ，１０Ｂ，１０Ｃ，３１，３２  ボビン
１１  巻回筒
１３，１３Ａ，１３Ｂ  余長部カバー
１４Ｄ  天板（余長部カバー）
１５，１５Ａ，１５Ｂ，１５Ｄ，３５  側板（側壁）
１７，１７Ａ  段差部（外形状）
１８，１８Ａ，１８Ｂ，１８Ｄ  連通口
【図１】
2006217787.tif 000003
【図２】
2006217787.tif 000004
【図３】
2006217787.tif 000005
【図４】
2006217787.tif 000006
【図５】
2006217787.tif 000007
【図６】
2006217787.tif 000008
【図７】
2006217787.tif 000009
【図８】
2006217787.tif 000010
【図９】
2006217787.tif 000011
【図１０】
2006217787.tif 000012
【図１１】
2006217787.tif 000013
【図１２】
2006217787.tif 000014
【図１３】
2006217787.tif 000015
【図１４】
2006217787.tif 000016
【図１５】
2006217787.tif 000017
【図１６】
2006217787.tif 000018
【図１７】
2006217787.tif 000019
【図１８】
2006217787.tif 000020